(57)【要約】【課題】  患者の皮膚の色に基づいて照射条件を設定したとしても、当該条件でレーザー光を照射された患者の特性に合致していない場合が生じ得る。【解決手段】  前記患者のカウンセリング情報を取得するカウンセリング情報取得手段と、カウンセリング情報に基づいて施術装置による電磁波の照射条件を決定する決定手段と、を有するシステム。【選択図】  図１
2020081758.tif 000002
【特許請求の範囲】
【請求項１】
電磁波の照射により患者に施術を行う施術装置のシステムであって、
前記患者のカウンセリング情報を取得するカウンセリング情報取得手段と、
前記カウンセリング情報に基づいて前記施術装置による前記電磁波の照射条件を決定する決定手段と、を有すること
を特徴とするシステム。
【請求項２】
前記カウンセリング情報は、前記患者の身体の部位、前記電磁波の照射に対する許容度、期待する施術の効果の程度、処置完了時期、および前記電磁波の照射に対する前記患者の肌の変化、うちの少なくとも一つの項目に関する情報を含むことを特徴とする請求項１に記載のシステム。
【請求項３】
前記カウンセリング情報が、前記患者の身体の部位、前記電磁波の照射に対する許容度、期待する施術の程度、処置完了時期、および前記電磁波の照射に対する前記患者の肌の変化、うちの複数の項目を含み、
前記複数の項目には、優先順位が付与されており、
前記決定手段は、前記優先順位に基づいて前記照射条件を決定すること
を特徴とする請求項１に記載のシステム。
【請求項４】
前記決定手段は、複数の前記照射条件を決定すること
を特徴とする請求項１〜３のいずれか１項に記載のシステム。
【請求項５】
操作者がカウンセリング情報を入力する入力手段と、
入力されたカウンセリング情報を記憶する記憶手段と、をさらに備えることを特徴とする請求項１〜４のいずれか１項に記載のシステム。
【請求項６】
前記入力手段は、入力画面を表示する第一の表示手段を有し、
前記第一の表示手段は、前記入力画面において、人体を模したマップ上の部位を操作者が選択することにより、当該選択された部位に関するカウンセリング情報の入力が可能な状態にすること
を特徴とする請求項５に記載のシステム。
【請求項７】
前記決定手段により決定された照射条件を出力する出力手段をさらに備えることを特徴とする請求項１〜６のいずれか１項に記載のシステム。
【請求項８】
前記出力手段から出力された照射条件を表示する表示手段をさらに備えることを特徴とする請求項７に記載のシステム。
【請求項９】
前記施術装置が、
前記電磁波を前記患者に照射する照射手段と、
前記照射手段による照射条件の設定を行う設定手段を備え、
前記決定手段が、複数の照射条件を決定し、
前記表示手段が、前記複数の照射条件を選択可能に表示し、
前記表示手段に表示された前記複数の照射条件のうち、いずれかが選択された場合に、前記設定手段が、前記選択された照射条件に従って、前記照射手段による照射条件を設定すること
を特徴とする請求項８に記載のシステム。
【請求項１０】
前記表示手段に表示された前記複数の照射条件とは異なる照射条件が設定された場合に、操作者に対する通知を行う通知手段を備えること
を特徴とする請求項９に記載のシステム。
【請求項１１】
前記施術装置が、
前記電磁波を前記患者に照射する照射手段と、
前記出力手段から出力された照射条件に従って、前記照射手段による照射条件の設定を行う設定手段を備えること
を特徴とする請求項８に記載のシステム。
【請求項１２】
前記決定手段が決定した照射条件の承認可否を入力する承認情報入力手段と、
前記承認情報入力手段から前記照射条件の承認がなされた場合を除き、前記照射手段による前記患者への電磁波の照射を制限する照射制御手段と、をさらに備えること
を特徴とする請求項８〜１１のいずれか１項に記載のシステム。
【請求項１３】
患者の皮膚に電磁波を照射する照射手段と、
前記照射手段から照射される電磁波の照射条件を、前記患者のカウンセリング情報に基づいて設定する設定手段と、を有すること
を特徴とする施術装置。
【発明の詳細な説明】
【技術分野】
【０００１】
本発明は、電磁波の照射を伴う施術支援システムおよび施術装置に関する。
【背景技術】
【０００２】
レーザー光等の電磁波を照射することにより、シミやほくろの除去、入れ墨の除去、脱毛処理などの施術を行うことが知られている。こうした装置の例として、検出された患者の皮膚の色に基づいて、患者に照射するレーザー光の照射条件を調整する手段を備えたレーザー脱毛装置がある。特許文献１は、検出された皮膚の色に基づいてレーザー光のエネルギーを調整する構成を開示する。特許文献２には、検出された皮膚の色に基づいて、レーザー光のエネルギー密度を調整する光脱毛装置が開示されている。
【先行技術文献】
【特許文献】
【０００３】
【特許文献１】特開平８−２６６３２６号公報
【特許文献２】特開２００６−１４９４８９号公報
【発明の概要】
【発明が解決しようとする課題】
【０００４】
ところで、レーザー光照射による施術は軽度の痛みを伴うが、許容できる痛みの程度には個人差がある。また、レーザー光の照射により肌が赤みを帯びやすい人もいれば、赤みを帯びにくい人もいる。このため、特許文献１および２に記載の装置のように、患者の皮膚の色に基づいて照射条件を設定したとしても、当該条件でレーザー光を照射された患者の特性に合致していない場合が生じることが考えられる。
【０００５】
本発明は、上述の課題に鑑み、従来技術よりも適切にレーザー光等の電磁波の照射条件の取得することが可能なシステムの提供を目的とする。
【課題を解決するための手段】
【０００６】
本発明の一つの側面である施術支援システムは、電磁波の照射により患者に施術を行う施術装置のシステムであって、前記患者のカウンセリング情報を取得するカウンセリング情報取得手段と、前記カウンセリング情報に基づいて前記施術装置による前記電磁波の照射条件を決定する決定手段と、を有することを特徴とする。
【０００７】
本発明の別の一つの側面である施術装置は、患者の皮膚に電磁波を照射する照射手段と、前記照射手段から照射される電磁波の照射条件を、前記患者のカウンセリング情報に基づいて設定する設定手段と、を有することを特徴とする。
【発明の効果】
【０００８】
従来技術よりも適切に、レーザー光等の電磁波の照射条件を取得することが可能となる。
【図面の簡単な説明】
【０００９】
【図１】本発明の実施形態に係る脱毛システムの機能構成を示す図である。
【図２】本発明の実施形態に係る情報処理装置のハードウェア構成を示す図である。
【図３】本発明の実施形態に係るカウンセリング時の処理を示すフロー図である。
【図４】本発明の実施形態に係る施術時の処理を示すフロー図である。
【図５】第１の実施形態に係る第１のクライアント端末上のＧＵＩを示す模式図である。
【図６】第１の実施形態に係る第１のクライアント端末上のＧＵＩを示す模式図である。
【図７】第２の実施形態に係る第１のクライアント端末上のＧＵＩを示す模式図である。
【図８】第２の実施形態に係る第２のクライアント端末上のＧＵＩを示す模式図である。
【発明を実施するための形態】
【００１０】
以下、図面を参照して本発明の実施形態を説明する。以下では、電磁波を照射する施術装置として、脱毛装置を例示するが、本発明は脱毛装置に限らず、シミやほくろの除去、入れ墨の除去等、電磁波の照射を伴う他の施術装置にも適用できる。
【００１１】
［第１の実施形態］
図１は、機能構成の一例を示す図である。図１に示すシステムは、光脱毛装置１００、情報処理装置２００、第１のクライアント端末３００と第２のクライアント端末４００から構成されている。そして情報処理装置２００は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成されるネットワークを介して、患者情報ＤＢ（ＤａｔａＢａｓｅ）１、施術情報ＤＢ２、マスター計画ＤＢ３と、通信ネットワークを介して接続されている。
【００１２】
患者情報ＤＢ１は、患者情報が格納されているデータベースサーバーである。患者情報としては、例えば、患者氏名、患者ＩＤ、性別、年齢、住所、電話番号、患者の写真、アレルギー情報等が挙げられる。施術情報ＤＢ２は、脱毛治療の施術情報が格納されているデータベースサーバーである。施術情報の例としては、光脱毛装置１００から患者に照射されるレーザーの種類や波長、出力パワーなどの光源情報、脱毛治療を行う部位や箇所数、治療範囲、患者が望む脱毛レベル、患者の痛み許容レベル、施術ワークフローを含む施術レシピ情報等が挙げられる。マスター計画ＤＢ３は、脱毛治療の施術計画のマスター計画が格納されているデータベースサーバーである。マスター計画は、例えば、施術対象部位ごとの施術回数や、複数回に渡って施術を実施する場合の間隔期間等が設定された計画である。
【００１３】
光脱毛装置１００は、光照射による脱毛処理を行うための装置であって、照射部１１０、照射制御部１２０、通信部１３０を有する。照射部１１０は、患者に照射する光の出射を担う部分である。本実施形態に係る照射部１１０は、照射制御部１２０と接続され、施術担当者による患者のカウンセリング情報の確認がなされていない場合、施術、すなわち、光の照射が行えないようになっている。照射制御部１２０は、受信部１３１と送信部１３２とを含んでなる通信部１３０を介して、情報処理装置２００と通信することにより受信した情報に基づいて動作する。カウンセリング情報とは、患者情報の一部であり、施術を行う患者の身体の部位、光の照射に対する痛みの許容度、脱毛の程度（患者が期待する施術の効果の程度）、処置完了時期、および光の照射に対する患者の肌の変化の少なくとも一つを含む。照射制御部１２０は、情報処理装置２００からの指示に基づいて照射条件を設定する設定手段でもある。ここでは、レーザー光を用いた光脱毛装置を説明するが、レーザー光以外の電磁波を用いた脱毛装置に置き換えてもよい。すなわち、光脱毛装置１００は、電磁波照射による脱毛装置の一例であると考えられる。
【００１４】
情報処理装置２００は、通信部２１０および情報処理部２２０を有する。
【００１５】
本実施形態に係る情報処理部２２０は、情報記憶部２２１、インターロック制御部２２２、施術計画生成部２２３、および表示制御部２２４からなる。情報処理装置２００は、光脱毛装置１００を用いた脱毛施術の結果や第１のクライアント端末３００、第２のクライアント端末４００等からの情報を、通信部２１０を介して受信する。また、患者情報ＤＢ１からの患者情報、施術情報ＤＢ２からの施術情報、マスター計画ＤＢ３からの計画情報も受信部２１１を介して受信される。光脱毛装置１００や第１のクライアント端末３００から受信した情報は、送信部２１２を介して、患者情報ＤＢ１などへ送信される。情報処理装置２００は、カウンセリング情報を取得するカウンセリング情報取得手段であるほか、光脱毛装置による電磁波の照射条件を決定する決定手段にも該当する。また、通信部２１０は、照射条件を含む施術条件を出力する出力手段とも言える。
【００１６】
情報記憶部２２１には、第１のクライアント端末３００から入力された情報が保存される。また、患者情報ＤＢ１、施術情報ＤＢ２、マスター計画ＤＢ３から取得した情報も保存される。逆に、情報記憶部２２１に保存された情報を、送信部２１２を介して患者情報ＤＢ１に送信して保存することもできる。
【００１７】
インターロック制御部２２２は、前述した光脱毛装置１００の照射制御部１２０を制御する。インターロック制御部２２２は、第１のクライアント端末３００と通信部２１０を通して通信を行い、施術担当者がカウンセリング情報の確認を行ったか否かを判定し、その結果に基づいて照射制御部１２０の制御指示を行う。
【００１８】
施術計画生成部２２３は、脱毛治療の施術計画を生成する。施術計画生成部２２３は、情報記憶部２２１に保存されている患者情報、第１のクライアント端末３００から入力された施術条件等を、通信部２１０を介して施術情報ＤＢ２とマスター計画ＤＢ３へ送信する。そして、施術計画生成部２２３は、送信した情報に基づいて、各データベース内の情報を検索して、当該患者に適した施術情報とマスター計画を生成する。生成される施術情報は、具体的には治療箇所（上肢など）に対応した光学条件（レーザー種類、波長、パワー）等である。一方、生成されるマスター計画の例は、治療箇所ごとの、標準的なレーザーパワーのレーザー光を照射した場合の治療間隔が設定された計画である。このようにして、施術計画生成部２２３は、入力された患者情報ならびに施術条件に応じて、各データベース内に蓄積された情報から、各患者に対応した施術計画を生成する。
【００１９】
表示制御部２２４は、第１のクライアント端末３００と第２のクライアント端末４００上のＧＵＩ（Ｇｒａｐｈｉｃａｌ  Ｕｓｅｒ  Ｉｎｔｅｒｆａｃｅ）に表示される情報の制御を行う。第１のクライアント端末３００と第２のクライアント端末４００とでは、異なるＧＵＩを用いてもよい。表示制御部２２４が各端末に表示させる内容は、情報記憶部２２１に保存されている情報のほか、施術計画生成部２２３で生成された施術計画を含みうる。また、第１のクライアント端末３００ならびに第２のクライアント端末４００から入力された情報も併せて表示することができる。
【００２０】
第１のクライアント端末３００は、主に施術担当者、医師、カウンセリング担当者が操作する端末であり、光脱毛装置１００の制御を支持することができる端末である。第１のクライアント端末３００は、表示部３１０、入力部３２０、表示切替部３３０、確定部３４０、カウンセリング情報承認部３５０、通信部３６０を有する。操作者は、第１のクライアント端末３００を用いて指示の入力、施術計画などの表示、表示された施術計画の確定、およびカウンセリング情報の確認などの作業を行うことができる。第１のクライアント端末３００を実現する具体的な構成として、コンピュータやタブレット情報端末を用いることができる。また、第１のクライアント端末３００は、情報処理装置２００と有線または無線で接続される。
【００２１】
表示部３１０は、システムの操作に必要なＧＵＩを表示する装置である。表示部３１０は、液晶ディスプレイや有機ＥＬ（Ｅｌｅｃｔｒｏ  Ｌｕｍｉｎｅｓｃｅｎｃｅ）ディスプレイ、ＣＲＴ（Ｃａｔｈｏｄｅ  Ｒａｙ  Ｔｕｂｅ）ディスプレイなどの機器により実現される。
【００２２】
操作者は、入力部３２０から患者情報、脱毛治療の施術条件を入力することができる。入力部３２０は、患者写真を取得できるようにカメラを備えていてもよい。たとえば、第１のクライアント端末３００として、タブレット情報端末を用いる場合には、附属のカメラを用いて患者を撮影することで、患者写真を取得することができる。入力部３２０は、例えば、キーボード、マウス、ジョイスティック、タッチパネル、スイッチボックス、音声を含む音や音を受信するマイク、特定のジェスチャーを受け付ける装置である。第１のクライアント端末３００としてタブレット情報端末を用いる場合には、入力部３２０が表示部３１０に表示されるＧＵＩに統合されていることが好ましい。例えば、タッチパネルを含んで構成される表示部３１０に表示されるＧＵＩ上のボタンをタッチすることで、操作者は各種の情報を入力することができる。
【００２３】
表示切替部３３０は、表示部３１０に表示される情報の切替えを行うことができる。具体的には、複数の施術計画が情報処理装置２００で生成された場合に、複数の施術計画は選択可能に表示される。操作者は、表示切替部３３０により、表示部３１０に表示させる施術計画を選択することができる。
【００２４】
確定部３４０は、表示部３１０に表示される計画などを確定する情報を入力する入力手段である。表示切替部３３０と確定部３４０は、第１のクライアント端末３００上にボタンなど配置することで構成することができる。また、表示切替部３３０ならびに確定部３４０は、入力部３２０と共通のハードウェアを用いて実現してもよい。第１のクライアント端末３００として、タブレット情報端末を用いた場合に、表示部３１０に表示されるＧＵＩ上のボタンに機能を割り当てることができる。
【００２５】
カウンセリング情報承認部３５０は、表示部３１０に表示されたカウンセリング情報ならびに照射条件を、施術担当者が確認・承認したことを、通信部３６０を介して情報処理装置２００内のインターロック制御部２２２に伝える。インターロック制御部２２２は、カウンセリング情報承認部３５０より信号を受信すると、送信部２１２を介して、光脱毛装置１００の照射制御部１２０にロック解除の信号を送信することで、照射部１１０からレーザー光を照射することが可能となる。つまり、照射制御手段である照射制御部１２０は、提示された照射条件を施術担当者が承認した場合を除き、照射部１１０からの光の照射を制限している。施術担当者が照射条件を承認していることは、承認情報入力手段であるカウンセリング情報承認部３５０を通じてシステムに入力できる。
【００２６】
第２のクライアント端末４００は、主に患者が操作する端末である。そのため、第２のクライアント端末４００からは、光脱毛装置１００に対する制御指示ができないように構成されることが好ましい。このようにすることで、患者は第２のクライアント端末４００を通じて施術計画を確認できる一方で、光脱毛装置１００の動作を制御することが禁止されているために、安全性を担保することができる。第２のクライアント端末４００は、表示部４１０、入力部４２０、確定部４３０、および通信部４４０を有する。
【００２７】
第２のクライアント端末４００は、表示部４１０に表示される画面を、第１のクライアント端末３００と同様のカウンセリング情報を入力する入力画面に表示を切り替えることができる。また、施術計画生成部２２３により作成された施術計画を確認するための計画確認画面などに表示を切り替えられるようにしてもよい。第２のクライアント端末４００の操作者は、表示部４１０上の表示を確認し、確定部４３０で表示内容を確定することができる。
【００２８】
また、第２のクライアント端末４００の機能を第１のクライアント端末３００に担わせることも可能である。一例として、第１のクライアント端末３００において、施術担当者、医師、カウンセリング担当者などが固有のＩＤとパスワードによる認証を行った場合のみ、光脱毛装置１００への制御指示が可能な動作モードとして動作させてもよい。認証がなされない場合には、患者操作モードとして動作させることができる。患者操作モードは、第１のクライアント端末３００から光脱毛装置１００に対する制御指示は行えない動作モードである。なお、操作者の認証は、ＩＤとパスワードの入力以外にも、顔認識、指紋認識などの生体情報を用いた認証方法で行われてもよい。第１のクライアント端末３００および第２のクライアント端末４００は、照射条件を表示する表示手段でもある。
【００２９】
図２は、情報処理装置２００のハードウェア構成の一例を示す図である。情報処理装置２００は、たとえばコンピュータである。図２に示す情報処理装置２００は、ＣＰＵ２１、ＲＯＭ２２、ＲＡＭ２３、記憶装置２４、ＵＳＢ２５、通信回路２６、グラフィックスボード２７を有する。これらはＢＵＳを介して互いに通信可能に接続されている。ＢＵＳは接続されたハードウェア間でのデータの送受信や、ＣＰＵ２１から他のハードウェアへの命令を送信するために使用される信号伝送経路である。
【００３０】
ＣＰＵ（Ｃｅｎｔｒａｌ  Ｐｒｏｃｅｓｓｉｎｇ  Ｕｎｉｔ）２１は、情報処理装置２００及びこれに接続する各部を統合的に制御する制御回路である。ＣＰＵ２１は、ＲＯＭ２２や記憶装置２４に格納されているプログラムを実行することにより、制御処理を実行する。またＣＰＵ２１は、第１のクライアント端末３００および第２のクライアント端末４００の表示部を制御するためのソフトウェアであるディスプレイドライバを実行し、各端末に対する表示制御を行う。さらにＣＰＵ２１は、第１のクライアント端末３００に対する入力制御を行う。
【００３１】
ＲＯＭ（Ｒｅａｄ  Ｏｎｌｙ  Ｍｅｍｏｒｙ）２２は、ＣＰＵ２１による制御の手順を記憶させたプログラムやデータを格納する記憶装置である。ＲＯＭ２２は、情報処理装置２００のブートプログラムや各種初期データを記憶する。また、情報処理装置２００の処理を実現するための各種のプログラムを記憶する。
【００３２】
ＲＡＭ（Ｒａｎｄｏｍ  Ａｃｃｅｓｓ  Ｍｅｍｏｒｙ）２３は、ＣＰＵ２１が命令プログラムによる制御を行う際に作業用の記憶領域を提供する記憶装置である。ＲＡＭ２３は、スタックとワーク領域とを有する。ＲＡＭ２３は、情報処理装置２００及びこれに接続する各部における処理を実行するためのプログラムや、画像処理で用いる各種パラメータを記憶する。ＲＡＭ２３は、ＣＰＵ２１が実行する制御プログラムを格納し、ＣＰＵ２１が各種制御を実行する際の様々なデータを一時的に格納する。
【００３３】
記憶装置２４は、患者情報や施術情報、施術計画、体毛画像などの各種のデータを保存する補助記憶装置である。記憶装置２４は、たとえばＨＤＤ（Ｈａｒｄ  Ｄｉｓｋ  Ｄｒｉｖｅ）や、ＳＳＤ（Ｓｏｌｉｄ  Ｓｔａｔｅ  Ｄｒｉｖｅ）である。
【００３４】
ＵＳＢ（Ｕｎｉｖｅｒｓａｌ  Ｓｅｒｉａｌ  Ｂｕｓ）２５は、第１のクライアント端末３００と第２のクライアント端末４００と接続する接続部である。情報処理装置２００は、ＵＳＢ２５を介して光脱毛装置１００と接続されてもよい。
【００３５】
通信回路２６は、通信ネットワークに接続されている各種の外部装置との通信を行うための回路である。通信回路２６は、たとえば出力する情報を転送用パケットに格納してＴＣＰ／ＩＰといった通信技術により、通信ネットワークを介して外部装置に出力する。情報処理装置２００は、所望の通信形態にあわせて、複数の通信回路を有していてもよい。情報処理装置２００は、通信回路２６を通して光脱毛装置１００、第１のクライアント端末３００、および第２のクライアント端末４００と通信し得る。
【００３６】
グラフィックスボード２７は、ＧＰＵ（Ｇｒａｐｈｉｃｓ  Ｐｒｏｃｅｓｓｉｎｇ  Ｕｎｉｔ）、ビデオメモリを含む。ＧＰＵは、たとえば光音響信号から光音響画像を生成するための再構成処理に係る演算を行う。
【００３７】
ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）２８は、外部表示装置を用いる場合に接続する表示装置用接続部である。ＨＤＭＩ２８に替えて、他の規格で定められたインターフェースを用いてもよい。
【００３８】
ＣＰＵ２１やＧＰＵはプロセッサの一例である。また、ＲＯＭ２２やＲＡＭ２３や記憶装置２４はメモリの一例である。情報処理装置２００は複数のプロセッサを有していてもよい。第１の実施形態においては、情報処理装置２００のプロセッサがメモリに格納されているプログラムを実行することにより、情報処理装置２００の各部の機能が実現される。
【００３９】
また、情報処理装置２００は、特定の処理を専用に行うＣＰＵやＧＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を有していても良い。情報処理装置２００は特定の処理あるいは全ての処理をプログラムしたＦＰＧＡ（Ｆｉｅｌｄ−Ｐｒｏｇｒａｍｍａｂｌｅ  Ｇａｔｅ  Ａｒｒａｙ）を有していてもよい。
【００４０】
図３は光脱毛施術に先立って行われるカウンセリング時のシステム内での処理の一例を示すフローチャートである。フローチャートを３列に分割し、各列に「端末」、「情報処理装置」、「ＤＢ」と、各主体の動作を説明している。「端末」は第１のクライアント端末３００、または第２のクライアント端末４００を通じて行われる処理を示している。以下の説明において、第１のクライアント端末３００と第２のクライアント端末のどちらを用いてもよい場合には、総称して単に「クライアント端末」と表記する。「情報処理装置」は、情報処理装置２００が実行する処理を示す。「ＤＢ」は、患者情報ＤＢ１、施術情報ＤＢ２、またはマスター計画ＤＢ３を用いて行われる処理を示す。
【００４１】
図３を用いて、患者からのカウンセリング情報に基づいて光脱毛治療の施術作成までを説明する。
【００４２】
ステップＳ４０１において、操作者は、第１のクライアント端末３００の表示部３１０に表示されるＧＵＩを用いて入力部３２０から患者情報を入力する。入力された患者情報は、情報処理装置２００の情報記憶部２２１へ保存される。患者情報を入力する目的の一つは、患者情報ＤＢ１に登録されている、当該患者の患者情報を取得することである。また、患者情報ＤＢ１への患者情報の登録がなされていない患者の場合には、患者情報を患者情報ＤＢ１に新規に登録するためにも行われる。ステップＳ４０１で入力される患者情報は、例えば、患者氏名のみでもよい。本ステップにおける端末の操作者は、主に患者へのカウンセリングを行うクリニックの受付担当者や医師であるが、氏名や住所など、一部の情報を患者本人が入力してもよい。
【００４３】
ステップＳ４０２において、情報処理装置２００は、第１のクライアント端末３００から送信された患者情報を受信し、情報記憶部２２１に保存する。その後、情報処理装置２００は、情報記憶部２２１に保存された患者情報を、送信部２１２により患者情報ＤＢ１へ送信する。
【００４４】
ステップＳ４０３において、患者情報ＤＢ１は、情報処理装置２００から受信した患者情報をデータベース内で検索する。患者情報がデータベース内に存在した場合には、データベースから患者情報を抽出する。そして、抽出した結果を情報処理装置２００へ送信する。患者情報がデータベース内に存在しない場合には、データ無し（Ｎｕｌｌ値）を情報処理装置２００に送信する。
【００４５】
ステップＳ４０４において、情報処理装置２００は、患者情報ＤＢ１から抽出結果を受信し、クライアント端末に送信する。
【００４６】
ステップＳ４０５では第１のクライアント端末３００は、ステップＳ４０１で入力された患者情報に加えて、情報処理装置２００患者情報ＤＢ１にて抽出された抽出結果に基づいて、患者情報を第１のクライアント端末３００表示部３１０に表示する。
【００４７】
ステップＳ４０６では、患者から得たカウンセリング情報がクライアント端末に入力される。ここでは、クライアント端末に表示されている情報に対して、追加および修正することができる。ステップＳ４０１で入力された患者情報に対応するカウンセリング情報が患者情報ＤＢ１に存在しなかった場合には、ステップＳ４０６において、カウンセリング情報の詳細を入力することができる。ステップＳ４０１と同様に、カウンセリング情報の少なくとも一部の情報を、患者本人に入力してもらってもよい。
【００４８】
ステップＳ４０７において、情報処理装置２００は、ステップＳ４０６で入力されたカウンセリング情報を情報記憶部２２１へ保存するとともに、送信部２１２を介してカウンセリング情報を各データベースに送信する。
【００４９】
ステップＳ４０８において、患者情報ＤＢ１のデータベース内のカウンセリング情報が更新されて保存される。また、施術情報ＤＢ２は、受信した患者情報に適した施術条件を検索する。施術情報ＤＢ２は、抽出した結果を情報処理装置２００へ送信する。施術情報ＤＢ２から抽出される施術条件は１つでもよいし、２以上の施術条件が抽出されてもよい。また、マスター計画ＤＢ３は、受信した患者情報に適した施術計画の条件を検索する。マスター計画ＤＢ３は、抽出した結果を情報処理装置２００へ送信する。カウンセリング情報は各項目に優先順位が付与されていてもよい。すなわち、情報処理装置２００は、優先順位の高い項目に関する患者の希望が優先されるような施術計画ならびに施術条件を決定することができる。たとえば、少々の痛みであれば、脱毛の程度を優先するという患者の要望を反映した施術計画ならびに施術条件が得られるため、施術に対する患者の満足度向上に寄与する。
【００５０】
ステップＳ４０９において、情報処理装置２００は、施術計画を生成するとともに、情報処理装置２００が、受信部２１１を介して施術情報ＤＢ２から受信した抽出結果および生成した施術計画を、送信部２１２を介してクライアント端末に送信する。
【００５１】
ステップＳ４１０において、クライアント端末は、情報処理装置２００から受信した施術条件および施術計画を表示部に表示する。ステップＳ４０８において抽出された施術条件が複数ある場合には、クライアント端末に複数の施術条件の中から操作者が選択可能なように表示する。
【００５２】
ステップＳ４１１では、複数操作者は、施術計画及び施術条件について患者の同意を得た上で施術条件を確定する。患者自身が操作者として、クライアント端末を操作して施術計画及び施術条件を確定させてもよい。操作者による入力は入力部を介して行われ、施術計画および施術条件が確定部により確定される。クライアント端末に表示された施術計画あるいは施術条件では同意が得られない場合には、ステップＳ４０６に戻り、カウンセリング情報を更新する。
【００５３】
ステップＳ４１２では、ステップＳ４１１にて確定された施術計画および施術条件が情報記憶部２２１へ保存され、さらに、送信部２１２から患者情報ＤＢ１、施術情報ＤＢ２、およびマスター計画ＤＢ３へ送信される。
【００５４】
ステップＳ４１３では、情報処理装置２００から受信した情報に基づいて、各データベースが更新される。
【００５５】
以上のように、患者の同意の下で、カウンセリング情報に基づいた光脱毛治療の施術計画及び施術条件を確定することができる。
【００５６】
続いて、図４を用いて施術時のフローを説明する。
【００５７】
ステップＳ４２１では、施術担当者が、クライアント端末にこれから施術を受ける患者の患者情報を入力する。施術担当者は、図３を用いて説明したカウンセリングを行うカウンセリング担当者あるいは医師と同一人物でもよいし、別の人物であってもよい。
【００５８】
ステップＳ４２２では、クライアント端末に入力された患者情報を情報処理装置２００が受信し、情報記憶部２２１に患者情報を保存する。また、情報処理装置２００は、患者情報を、送信部２１２により患者情報ＤＢ１へ送信する。
【００５９】
ステップＳ４２３では、受信した患者情報に対応する患者情報を患者情報ＤＢ１のデータベース内で検索し、患者情報を抽出する。抽出された患者情報は情報処理装置２００に送信される。
【００６０】
ステップＳ４２４では、情報処理装置２００が患者情報を受信し、患者情報を情報記憶部２２１に保存するとともに、クライアント端末に送信する。
【００６１】
ステップＳ４２５では、クライアント端末が、情報処理装置２００から受信したカウンセリング情報および施術条件を表示部に表示する。
【００６２】
ステップＳ４２６では、施術担当者が、クライアント端末にある確認ボタンを押すことで、表示されたカウンセリング情報の内容を確認し、承認したことを示す承認信号を、クライアント端末から情報処理装置２００へ送信する。
【００６３】
ステップＳ４２７において、情報処理装置２００は、第１のクライアント端末３００から送信されたカウンセリング情報の承認信号を受信する。
【００６４】
ステップＳ４２８では、インターロック制御部２２２は、承認信号を受信した結果として、光脱毛装置１００の受信部１３１に施術条件を送信する。
【００６５】
ステップＳ４２９では、光脱毛装置１００が、情報処理装置２００の送信部２１２から送信された施術条件を受信する。そして、その施術条件にあわせて照射制御部１２０が、光脱毛装置１００の施術条件の設定を更新する。
【００６６】
ステップＳ４３０において、情報処理装置２００のインターロック制御部２２２は、光脱毛装置１００の照射制御部１２０にインターロックの解除を指示する解除信号を送信する。
【００６７】
ステップＳ４３１では、インターロックの解除信号を情報処理装置２００から受信したことを受けて、照射制御部１２０が照射部１１０のインターロックを解除する。
【００６８】
ステップＳ４３２では、Ｓ４２９で設定された施術条件に基づいて、施術担当者が施術を開始する。
【００６９】
ステップＳ４３３で、施術担当者による施術が終了されると、施術が終了したことを示す施術終了信号を、照射制御部１２０が通信部１３０を介して情報処理装置２００に送信する。照射制御部１２０は、施術終了信号とともに、今回の施術情報、もしくは施術中に条件を変更した場合などはその変更履歴などを併せて送信する。なお、施術の終了は、たとえば、光脱毛装置１００からの光照射が行われた後、所定の時間が経過しても再度の光照射操作が行われない場合には施術が終了したと判定する判定手段を照射制御部１２０に設けることで判定してもよい。施術の終了に伴って、照射制御部１２０によるインターロック解除状態が終了する。
【００７０】
ステップＳ４３４では、情報処理装置２００が光脱毛装置１００からの施術終了信号を受信し、施術が終了したことを認識する。情報処理装置２００は、施術終了信号と併せて受信した施術情報や、施術中の条件の変更履歴などを患者情報ＤＢ１に送信する。
【００７１】
ステップＳ４３５では、患者情報ＤＢ１内の患者情報データが更新される。
【００７２】
以上のように、本実施形態に係るシステムによれば、情報処理装置２００は、患者から得たカウンセリング情報に基づいて作成された施術計画や施術条件を操作者に提供することができる。これにより、従前の装置と比較して、より患者の要望に沿った施術を実現することが可能になる。また、本実施形態では、患者が施術条件を確認した上で施術条件を確定させているため、患者の施術に対する納得度が向上するという効果が得られる。
【００７３】
次に、第１のクライアント端末３００あるいは第２のクライアント端末４００に表示されるインターフェースの例を説明する。
【００７４】
図５（ａ）に、ステップＳ４０５にて、第１のクライアント端末３００の表示部３１０に表示されるＧＵＩの例を示す。本例における第１のクライアント端末３００は、タブレット情報端末５００であり、タッチパネルを搭載している。表示部３１０の表示領域５１０に、ＧＵＩが表示される。
【００７５】
表示領域５１０中の表示領域５２０には、ヘッダ情報が表示される。ここでは、施術施設の名称、操作者の氏名、および現在の日時情報が、ヘッダ情報として表示されている。施術施設に操作者が複数存在する場合、各自にＩＤを付与することで、個別に第１のクライアント端末３００へログインすることができる。各操作者に固有のバーコードを印刷したＩＤカードを所持させ、ログイン時には、バーコードリーダー（不図示）などを用いて、操作者のバーコードをスキャンすることでログインするようにしてもよい。バーコードに限らず、ＩＤカードに付属のＩＣタグを用いてログインする構成としてもよい。
【００７６】
表示領域５３０には、ステータス情報が表示される。ステータス情報は、その時点で、施術フローのどのステップにあるのかを操作者に認識させるための情報であり、図５（ａ）に示した例では、患者情報の入力、カウンセリング情報の入力、施術計画の確認、施術計画の確定がそれぞれアイコンとして表示されている。図のように、現在のステータスが分かるよう、該当するステータスアイコンが強調表示されてもよい。
【００７７】
表示領域５４０には、各ステップの詳細情報が表示される。より具体的には、患者情報、カウンセリング情報、および施術計画がそれぞれ別のタブとして表示され、図５（ａ）は、このうちの患者情報が選択されている状態を示す。患者情報の詳細情報として、氏名、性別、年齢、住所、電話番号、Ｅ−ｍａｉｌアドレス、初回来院および前回来院の日付と担当者の情報が表示される。来院日時と来院時の担当者情報は、リスト表示してもよい。また、メモ欄に特記事項を入力することもできる。また、患者の写真を表示することもできる。表示する写真は、外部から入力してもよいし、タブレット情報端末５００にカメラが付属している場合には、ＧＵＩ上の撮影ボタンを押すことで、患者の写真を撮影することにより取得してもよい。操作者は、患者情報の入力を終了した後に、新規登録もしくは更新登録ボタンを押すことで、患者情報ＤＢ１の患者情報を更新して保存することができる。また、確認ボタンを押すことで現在の患者情報ステータスを終了することができる。患者情報のステータスが終了されると、自動的にカウンセリング情報のタブに遷移される。本実施形態では、患者情報の入力完了後にカウンセリング情報を入力する構成としている。しかし、操作者に自由度を持たせるために、患者情報の入力完了前であっても、操作者がステータスタブ５４１を選択することで、別のステータスの詳細情報の表示へ移動することができるように構成してもよい。
【００７８】
図５（ｂ）に、表示領域５４０に表示されるステップＳ４０１〜ステップＳ４０３の表示例を示す。ここでは、ステップＳ４０１において、患者氏名のみを入力する場合を示しており、表示領域５４０に表示される入力欄のうち、患者氏名以外の項目が入力できないようにグレーアウトしている。操作者が患者氏名の入力が終了し、確認ボタンを押下すると、ステップＳ４０２へと遷移して患者情報ＤＢの情報と照合することができる。また、患者氏名の入力に替えて、患者の写真を入力することで、ステップＳ４０２へと移るようにしてもよい。その際、ステップＳ４０３での患者情報の検索は、公知のＡＩ（Ａｒｔｉｆｉｃｉａｌ  Ｉｎｔｅｌｌｉｇｅｎｃｅ）技術による顔認証アルゴリズム等を利用することができる。表示領域５４２には、現在の処理内容と状況を表示することができる。表示例では、ステップＳ４０３で患者情報ＤＢから患者情報を検索している内容が表示されている。
【００７９】
図６（ａ）は、カウンセリング情報入力画面の例を示す図である（ステップＳ４０６）。
【００８０】
図６（ａ）では、カウンセリング情報として、アレルギーの有無、皮膚炎の有無、体質、持病、服薬中の薬、脱毛経験、完了希望日、施術部位、脱毛レベル、および痛み許容レベルが表示される。このほか、患者情報としての氏名と、施術条件としてのレーザー光の照射条件が表示される。操作者は、患者から聞き取ったカウンセリング情報を項目ごとに記入していく。脱毛部位は、脱毛を行う患者の身体の部位を意味する。ここで脱毛レベルとは、患者が望む脱毛の度合いのことを表す。痛み許容レベルとは、患者が施術時に痛みをどれだけ耐える気持ちがあるかの指標を表す。図６（ｂ）に示すように、操作者は、画面上の選択ボタン▽を押下して表示されたプルダウンリストから部位を選択することができる。同様に、脱毛レベル５６１（図６（ｃ））、痛み許容レベル５７１（図６（ｄ））もそれぞれ選択ボタンを押して表示されたブルダウンリストから選択することができる。脱毛レベル５６１および痛み許容レベル５７１は、脱毛部位ごとに入力可能となっており、操作者がプルダウンリストから脱毛部位５５１を選択すると、選択された部位に対応付けられて入力された脱毛レベル５６１および痛み許容レベル５７１が表示される。ここで示した脱毛レベル５６１は一例であり、例えば毛量や毛密度などで表現してもよい。このような場合、患者が理解しやすい表現で脱毛レベルを入力できるように、脱毛レベルの表現を切り替えるための切り替えボタンなどをＧＵＩとして提供してもよい。痛み許容レベルも同様である。
【００８１】
患者が施術を希望する脱毛部位５５０と、各脱毛部位５５０に関する脱毛レベル５６０、痛み許容レベル５７０の入力を行った後、確認ボタンを押下すると、入力されたカウンセリング情報が患者情報ＤＢ１に送られ、データベース内の患者情報が更新される。さらに、入力されたカウンセリング情報は施術情報ＤＢ２にも送られ、データベースから、入力された条件に適した施術情報が検索、抽出される。施術情報ＤＢ２から抽出された情報は第１のクライアント端末３００に送られ、グレーアウトされている照射条件５８０の欄に抽出された照射条件が表示される。操作者は、画面５４０上に表示された施術条件を患者に提示し、患者の同意を得る。施術担当者は、患者の同意を得た後に、第１のクライアント端末３００の表示部３１０上に表示された施術担当５９０の欄にサインを行う。患者は、自身が希望する脱毛レベルと痛み許容レベルが反映された施術条件になっていること把握できるため、施術に対する安心感が向上する。最後に、施術担当者が確認ボタンを押下すると、カウンセリング情報の承認信号が光脱毛装置１００に送られ、施術を開始することができる（ステップＳ４２４〜ステップＳ４３２）。なお、図６（ａ）には、提示された照射条件を変更することができない例を示しているが、操作者が変更することができるようにしてもよい。その場合には、情報処理装置２００から提示された照射条件が変更されると、その旨を操作者に通知するようにすることが好ましい。たとえば、表示領域５４２にメッセージを表示したり、画面全体を明滅させたり、操作者が確認ボタンを押下した後にメッセージを表示させたりしてもよい。つまり、クライアント端末が通知手段としての機能も持つ。
【００８２】
ここでは詳細は説明しないが、クライアント端末の表示領域５４０において施術計画タブを選択すると、施術計画生成部２２３が生成した施術計画に関する情報が表示される。より具体的には、施術を実施する日の候補、施術の終了時期などが、施術計画に関する情報として表示される。
【００８３】
本実施形態では、第１のクライアント端末３００から入力されたカウンセリング情報に応じた施術条件を情報処理装置２００が第１のクライアント端末３００上に提示する。施術担当者は、提示された施術条件について患者の同意を得た上で施術条件を確定することができる。光脱毛装置１００は、施術担当者による確認を経て、照射制御部１２０による施術条件の設定がなされる。そのため、本実施形態に係るシステムに依れば、従来の装置と比較してより適切にレーザー光の照射条件を設定することが可能になる。
【００８４】
［第２の実施形態］
本発明に係る第２の実施形態を説明する。本例では、カウンセリング情報の入力方法が第１の実施形態とは異なる。以下では、第１の実施形態と異なる部分のみを説明する。
【００８５】
図７に、本実施形態に係る第１のクライアント端末３００上の画面表示例を示す。図６と異なるのは、カウンセリング情報の詳細情報を、人体を模したマップを用いて視覚的に示されている点である。図８に、第２のクライアント端末４００における画面表示例を示す。第１のクライアント端末３００と同様に、第２のクライアント端末４００においても、人体を模したマップが示されている。
【００８６】
患者は、第２のクライアント端末４００を用いて、脱毛を希望する箇所を枠８０１内のマップ上で選択し、選択した箇所に関して希望する脱毛レベルを入力する。脱毛レベルは、図のようにバーグラフとして表示された選択肢の中から、所望のバーを選択することで入力できる。複数の部位の脱毛を希望する患者は、この操作を各部位について繰り返す。なお、脱毛レベルに応じた画像をポップアップなどにより表示すると、患者は施術後の状態を理解しやすいので好ましい。
【００８７】
次に、患者は脱毛を希望する部位の選択と、選択した部位に関する痛み許容レベルを入力する。本例では、枠８０２内のマップ上で脱毛を希望する箇所の選択を行い、マップと並置されたグラフから、その脱毛箇所について許容できる痛みのレベルを入力する。枠８０１と枠８０２にそれぞれ示されたマップは、連動した表示を行うように第２のクライアント端末４００が構成されていることが好ましい。たとえば、患者がどちらかのマップ上で脱毛箇所を選択すると、選択した箇所が両方のマップ上で強調表示されるようにする。図８では、患者の左前腕が強調された例を示している。
【００８８】
患者は、必要な情報の入力を行った後、確定ボタンを押下する。
【００８９】
患者が第２のクライアント端末４００に入力したカウンセリング情報は、第１のクライアント端末３００の表示にも反映される。本例では、枠８０１、８０２と同じ画面が第１のクライアント端末３００の枠５６２、５７２内にそれぞれ示される。
【００９０】
第１のクライアント端末３００上の表示領域６００には、脱毛レベル５６２と痛み許容レベル５７２の二つの条件を足し合わせた条件を、人間を模したマップ６０１およびグラフ６０２で表現する。
【００９１】
グラフ６０２は、横軸に痛み許容レベル、縦軸に脱毛レベルをとったグラフである。ここでは、３つの領域に分割した例を示している。痛み許容レベルが低く、かつ、脱毛レベルが低いとされた施術箇所は、患者ができるだけ痛みを感じないことが好ましいため、当該部位を施術する場合には、患者が痛みを感じないことを優先するように、施術担当者に対して注意を促す。また、痛み許容レベルが低く、かつ、脱毛レベルが高い場合には、患者が希望する脱毛レベルに到達するまでに、長期間にわたって施術を繰り返すことになる可能性がある。そこで、施術担当者は、患者に対して施術が長期に渡る可能性がある旨を知らせることができる。また、患者の痛み許容レベルが高い部位に関しては、患者の希望する脱毛レベルに合わせて照射条件が設定すればよい。
【００９２】
マップ６０１の各部位を、グラフ６０２の各領域に対応する色で示すことで、施術担当者は特に注意を要する箇所を容易に理解できる。施術担当者が、マップ６０１上の部位を選択すると、情報処理装置２００から受信した、当該部位に対する照射条件が照射条件欄５８０に表示される。照射条件欄５８０に表示された照射条件について、患者の同意を得た上で、施術担当者は確認ボタンを押下して、照射条件を確定させる。
【００９３】
前述したように、施術時には、カウンセリング情報を施術担当者が確認ボタンを押下するまでは、光脱毛装置１００はインターロックがかかった状態を保つように構成されている。この構成によれば、施術担当者が不注意でカウンセリング情報を確認せずに施術を実行してしまう可能性を低減できる。また、カウンセリング情報に基づく施術条件を患者も確認できるため患者の安心感および納得感の向上にも寄与する。
【００９４】
［その他］
以上で説明した各実施形態は例示的なものに過ぎず、本発明の技術的思想から逸脱しない範囲で、多様な変更が可能である。たとえば、光脱毛装置１００が、情報処理装置２００と通信する機能を備えないシステムとすることも可能である。この場合には、施術担当者はステップＳ４２６において施術条件の確認を行った後、手動で光脱毛装置１００の施術条件を設定すればよい。この例の場合でも、カウンセリング情報に基づいて施術条件の提示がなされるため、上述の各実施形態と同様に、従来の装置よりも適切な施術条件の設定が可能となるという効果を奏する。
【符号の説明】
【００９５】
１  患者情報ＤＢ
２  施術情報ＤＢ
３  マスター計画ＤＢ
１００  光脱毛装置
１１０  照射部
１２０  照射制御部
１３０  通信部
２００  情報処理装置
２１０  通信部
２２０  情報処理部
２２１  情報記憶部
２２２  インターロック制御部
２２３  施術計画生成部
２３０  表示制御部
３００  第１のクライアント端末
３５０  カウンセリング情報承認部
４００  第２のクライアント端末
【図１】
2020081758.tif 000003
【図２】
2020081758.tif 000004
【図３】
2020081758.tif 000005
【図４】
2020081758.tif 000006
【図５】
2020081758.tif 000007
【図６】
2020081758.tif 000008
【図７】
2020081758.tif 000009
【図８】
2020081758.tif 000010